(57)【要約】      （修正有）【課題】人体を感知する人体感知センサーが本体部または本体部の近傍部に設置されるトイレの掃除等のメンテナンス時において作業者の作業効率が向上するセンサーカバーを提供する。【解決手段】センサーカバー１は、固定部１１と、遮断部１２とを備える。固定部１１は、本体部または本体部の近傍部に固定される固定部材１１ａを有する。遮断部１２は、固定部１１に接続され、人体感知センサーの光線を遮断する。【選択図】図２
0003153817.tif 000002
【実用新案登録請求の範囲】
【請求項１】
人体を感知する人体感知センサー（５２）が本体部（５１）または前記本体部（５１）の近傍部に設置されるトイレ（５０）に対して、そのメンテナンス時に用いるセンサーカバー（１）であって、
前記本体部（５１）または前記本体部（５１）の近傍部に固定される固定部材（１１ａ）を有する固定部（１１）と、
前記固定部（１１）に接続され、前記人体感知センサー（５２）の光線を遮断する遮断部（１２）と、
を備えるセンサーカバー（１）。
【請求項２】
前記固定部（１１）の重量は、前記遮断部（１２）の重量よりも大きい、
請求項１に記載のセンサーカバー（１）。
【請求項３】
前記固定部（１１）と前記遮断部（１２）とは、ヒンジ（１３）を介して接続されており、嵌合可能である、
請求項１または２に記載のセンサーカバー（１）。
【請求項４】
前記固定部材（１１ａ）は、弾性体で、かつ、表面が凹凸形状を有する部材から成る、
請求項１〜３のいずれかに記載のセンサーカバー（１）。
【請求項５】
前記遮断部（１２）は、前記固定部（１１）が前記本体部（５１）または前記本体部（５１）の近傍部に接触している状態において、前記固定部（１１）から下方に垂れる、
請求項１〜４のいずれかに記載のセンサーカバー（１）。
【考案の詳細な説明】
【技術分野】
【０００１】
本考案は、センサーカバーに関する。
【背景技術】
【０００２】
従来、人体を検知することによって本体の内部を水洗させるセンサーが設けられているトイレが存在する。該センサーには、例えば、特許文献１（特開２００１−３２９５９４号公報）に記載のセンサーのように、トイレの利用者やメンテナンスを行う作業者が手をかざすことで人体を検知するものがある。
【考案の開示】
【考案が解決しようとする課題】
【０００３】
上記のようなセンサーが設けられるトイレの掃除等を行う際、作業者の手等にセンサーが反応して、掃除の途中にも関わらずトイレ本体の内部が水洗されてしまうことが想定される。水洗されると再度洗剤を足す必要が生じる等が考えられ、コスト面や作業効率を考えるとこのような状況は抑制できることが望ましい。
【０００４】
そこで、本考案の課題は、清掃等のメンテナンス時において作業者の作業効率が向上するセンサーカバーを提供することにある。
【課題を解決するための手段】
【０００５】
第１考案に係るセンサーカバーは、人体を感知する人体感知センサーが本体部または本体部の近傍部に設置されるトイレに対して、そのメンテナンス時に用いるセンサーカバーであって、固定部と、遮断部とを備える。固定部は、本体部または本体部の近傍部に固定される固定部材を有する。遮断部は、固定部に接続され、人体感知センサーの光線を遮断する。
【０００６】
第１考案に係るセンサーカバーでは、遮断部が人体感知センサーの光線を遮断できることにより、清掃等を行う作業者の作業効率が向上する。
【０００７】
第２考案に係るセンサーカバーは、第１考案に係るセンサーカバーであって、固定部の重量は、遮断部の重量よりも大きい。
【０００８】
第２考案に係るセンサーカバーでは、固定部の重量が遮断部の重量よりも大きいことにより、固定部の固定機能を強化できる。
【０００９】
第３考案に係るセンサーカバーは、第１考案または第２考案に係るセンサーカバーであって、固定部と遮断部とは、ヒンジを介して接続されており、嵌合可能である。
【００１０】
第３考案に係るセンサーカバーでは、固定部と遮断部とが嵌合可能であることにより、容易に持ち運びができる。
【００１１】
第４考案に係るセンサーカバーは、第１考案〜第３考案のいずれかに係るセンサーカバーであって、固定部材は、弾性体であって、かつ、表面が凹凸形状を有する部材から成る。
【００１２】
第４考案に係るセンサーカバーでは、トイレの本体の傷つきを防止でき、かつ、滑り止めの効果を有する。
【００１３】
第５考案に係るセンサーカバーは、第１考案〜第４考案のいずれかに係るセンサーカバーであって、遮断部は、固定部が本体部または本体部の近傍部に接触している状態において、固定部から下方に垂れる。
【００１４】
第５考案に係るセンサーカバーでは、遮断部が固定部から下方に垂れることで人体感知センサーを覆うことができる。
【考案の効果】
【００１５】
第１考案に係るセンサーカバーでは、遮断部が人体感知センサーの光線を遮断できることにより、清掃等を行う作業者の作業効率が向上する。
【００１６】
第２考案に係るセンサーカバーでは、固定部の重量が遮断部の重量よりも大きいことにより、固定部の固定機能を強化できる。
【００１７】
第３考案に係るセンサーカバーでは、固定部と遮断部とが嵌合可能であることにより、容易に持ち運びができる。
【００１８】
第４考案に係るセンサーカバーでは、トイレの本体の傷つきを防止でき、かつ、滑り止めの効果を有する。
【００１９】
第５考案に係るセンサーカバーでは、遮断部が固定部から下方に垂れることで人体感知センサーを覆うことができる。
【図面の簡単な説明】
【００２０】
【図１】本実施形態に係るセンサーカバーを示す図。
【図２】ヒンジを介して開いた状態のセンサーカバー示す図。
【図３】センサーカバーを使用する前の状態のトイレ示す図。
【図４】センサーカバーを使用した状態のトイレを示す図。
【図５】変形例に係るトイレを示す図（人体感知センサーがトイレの本体部の上方に設置されている場合）。
【図６】変形例に係るトイレを示す図（人体感知センサーがトイレの本体部の側方に設置されている場合）。
【考案を実施するための最良の形態】
【００２１】
以下、本考案の実施形態に係るセンサーカバー１について図面を用いて説明する。なお、以下の実施形態は、本考案の具体例であって、本考案の技術的範囲を限定するものではない。
【００２２】
＜センサーカバー１の全体構成＞
まず、センサーカバー１の全体構成について説明する。
【００２３】
なお、以下の説明において、「上」、「左」、「右」等の方向を示す表現を用いているが、これらは、特にことわりのない限り、図１に示す方向を意味する。
【００２４】
図１は、本実施形態に係るセンサーカバー１を示す図である。センサーカバー１は、人体を感知することによってトイレ５０（図３を参照）の洗浄機能を作動させる人体感知センサー５２（図３を参照）が設けられているトイレ５０において、清掃の際に使用されるものである。具体的には、センサーカバー１によって人体感知センサー５２を覆い、人体感知センサー５２の人体の感知機能を遮断することでトイレ５０の洗浄機能を作動させないようにするためのものである。
【００２５】
なお、人体感知センサー５２は、赤外線センサーであり、一般に、図３に示すように、トイレ５０の本体部５１（具体的には、本体部５１の上部）に設けられている。該人体感知センサー５２は、該人体感知センサー５２に人が手をかざす等をすることで人体を感知する。人体感知センサー５２が感知信号を、トイレ５０の本体部５１の内部を洗浄するための洗浄水を制御する制御部（図示せず）に送信することで、トイレ５０の本体部５１の内部が洗浄される。
【００２６】
センサーカバー１は、図１に示すように、直方体形状を有しており、トイレ５０の本体部５１に固定される固定部１１と、人体感知センサー５２の人体の光線（赤外線）を遮断する遮断部１２とを備える。
【００２７】
固定部１１は、トイレ５０の本体部５１に載置される部分であり（図４を参照）、センサーカバー１全体がトイレ５０の本体部５１からずれる等をしないように固定する機能を有する部分である。固定部１１は、図２に示すように、上部に固定部材１１ａを有している。固定部材１１ａは、弾性体であり、上面が凹凸形状を有している。
【００２８】
遮断部１２は、固定部１１の左端部にヒンジ１３を介して接続されている。固定部１１と遮断部１２とは、ヒンジ１３を中心として互いに開閉が可能で嵌合可能である。すなわち、センサーカバー１は折り畳みが可能であるので、掃除等を行う作業者は、容易にセンサーカバー１の持ち運びをできる。
【００２９】
なお、固定部１１には、右端部に突起部１１ｂを有している。また、遮断部１２は、左端部に爪部１２ａを有している。遮断部１２の爪部１２ａは、固定部１１の突起部１１ｂに引っ掛けが可能である。これにより、固定部１１と遮断部１２とが嵌合した状態においては、爪部１２ａが突起部１１ｂに引っ掛かることで遮断部１２が固定部１１から外れないようになっている。
【００３０】
＜センサーカバー１の使用態様＞
センサーカバー１は、持ち運びの際や不使用の際は、図１に示すように、固定部１１と遮断部１２とが嵌合した状態にあるが、清掃等のメンテナンスが行われる際は、図２に示すように、遮断部１２が固定部１１に対して開かれた状態で使用される。
【００３１】
以下、センサーカバー１の使用態様について説明する。
【００３２】
まず、図１の状態のセンサーカバー１の遮断部１２の爪部１２ａを固定部１１の突起部１１ｂから外して遮断部１２を固定部１１に対して開く（図２を参照）。次に、図４に示すように、遮断部１２が人体感知センサー５２を覆うように固定部１１の上面（具体的には、固定部材１１ａの上面）をトイレ５０の本体部５１の上面に当接させる。このとき、遮断部１２は、固定部１１の左端部から下方に垂れるように延びた状態で、人体感知センサー５２を覆っている。
【００３３】
ここで、固定部１１の重量は、遮断部１２の重量よりも大きい。また、固定部材１１ａの上面は凹凸形状を有している。これにより、センサーカバー１がトイレ５０の本体部５１からずれ落ちないようにすることができている。また、固定部材１１ａは弾性体である。これにより、トイレ５０の本体部５１に固定部１１の上面を接触させることによる、トイレ５０の本体部５１への傷付きを抑制することができる。
【００３４】
＜本実施形態に係るセンサーカバー１の特徴＞
本実施形態に係るセンサーカバー１は、固定部１１と遮断部１２とを備えている。
【００３５】
遮断部１２は、人体感知センサー５２を覆い、人体感知センサー５２の人体の感知を遮断する。これにより、作業者がトイレ５０の本体部５１の清掃を行っている間、人体感知センサー５２が反応してトイレ５０の洗浄機能を作動させないようにすることができる。よって、まだトイレ５０の本体部５１の内部を清掃し終えていないにも関わらず洗剤が洗い流されてしまうといったような状況を防止することができる。したがって、掃除等の作業を行う作業者の作業効率が向上する。
【００３６】
また、清掃途中にも関わらず洗浄がされた場合は、再度洗剤をトイレ５０の本体部５１の内部に入れて再度水を流す必要が生じることが想定されるが、センサーカバー１を用いてこのような状況を防止することで、洗剤の節約や節水にも貢献する。
【００３７】
なお、固定部１１は、遮断部１２が人体感知センサー５２を覆う際、センサーカバー１がトイレ５０の本体部５１からずれ落ちないようにする滑り止めの機能を有している。すなわち、固定部１１が固定機能を発揮することにより遮断部１２が人体感知センサー５２を覆い続けることができる。
【００３８】
＜本実施形態に係るセンサーカバー１の変形例＞
上記実施形態では、人体感知センサー５２はトイレ５０の本体部５１に設置されていると説明したが、本考案はこれに限られるものではない。例えば、図５や図６に示すように、トイレ５０の本体部５１の上方や側方に設置されてもよい。すなわち、このような図５や図６のトイレ５０に対しても、センサーカバー１は有用である。
【産業上の利用可能性】
【００３９】
本考案は、清掃等のメンテナンスを行う作業者の作業効率が向上するので、有用である。
【符号の説明】
【００４０】
１      センサーカバー
１１    固定部
１１ａ  固定部材
１２    遮断部
１３    ヒンジ
５０    トイレ
５１    トイレの本体部
５２    人体感知センサー
【先行技術文献】
【特許文献】
【００４１】
【特許文献１】特開２００１−３２９５９４号公報
【図１】
0003153817.tif 000003
【図２】
0003153817.tif 000004
【図３】
0003153817.tif 000005
【図４】
0003153817.tif 000006
【図５】
0003153817.tif 000007
【図６】
0003153817.tif 000008